(57)【要約】【課題】  煩雑な操作を行うことなく、被照明物に最適な照明効果を簡単に得ることができる照明装置を提供する。【解決手段】  照明装置１０は、被照明物２０に光を照射する光源４０と、被照明物２０に設けられた固有の照明情報２７を読み取る読み取り部５２と、読み取り部５２によって読み取られた固有の照明情報２７に基づいて、光源４０から出力される光を制御する制御部５１と、を有する。照明装置１０によれば、被照明物２０の照明に際して最適な照明情報２７を、個々の被照明物２０に予め設定することができる。【選択図】  図５
2014186885.tif 000002
【特許請求の範囲】
【請求項１】
被照明物に光を照射する光源と、
前記被照明物に設けられた固有の照明情報を読み取る読み取り部と、
前記読み取り部によって読み取られた前記固有の照明情報に基づいて、前記光源から出力される光を制御する制御部と、
を有することを特徴とする照明装置。
【請求項２】
前記被照明物を支持する支持体をさらに備え、
前記読み取り部は、前記支持体に前記被照明物を収容する際に、前記固有の照明情報を読み取ることを特徴とする請求項１に記載の照明装置。
【請求項３】
前記固有の照明情報は、前記被照明物に設けられた平面的なコード情報であることを特徴とする請求項１または２に記載の照明装置。
【請求項４】
前記被照明物は、マイクロチップを有し、
前記固有の照明情報は、前記マイクロチップに組み込まれた情報であることを特徴とする請求項１または２に記載の照明装置。
【請求項５】
前記制御部は、前記被照明物の照明効果に影響を与える特定の因子を考慮して前記固有の照明情報を加工し、この加工した照明情報に基づいて、前記光源から出力される光を制御することを特徴とする請求項１〜４のいずれかに記載の照明装置。
【請求項６】
前記特定の因子は、前記被照明物を照明する時間帯であることを特徴とする請求項５に記載の照明装置。
【発明の詳細な説明】
【技術分野】
【０００１】
本発明は、照明装置に関し、より詳細には、被照明物に最適な照明効果を簡単に得ることができる照明装置に関する。
【背景技術】
【０００２】
従来、絵画等の被照明物を照明する各種の照明技術が提案されている（例えば、特許文献１参照）。
【０００３】
特許文献１に開示される照明装置には、時間経過に対応された紫外線灯および白熱灯の照度値からなる第１〜第３の制御パターンが記憶される。使用者は、リモコン発信部に設けたスイッチを操作して、第１〜第３の制御パターンから１つの制御パターンを選択することで、絵画等の照明を変化させることができる。
【０００４】
ところで、絵画等の被照明物は、使用者（閲覧者）の好みに応じて照明されるよりも、作者の意図に合う条件で照明されることが、より好適である。
【先行技術文献】
【特許文献】
【０００５】
【特許文献１】特開平１０−１６２６１０号公報
【発明の概要】
【発明が解決しようとする課題】
【０００６】
しかしながら、特許文献１の照明装置においては、使用者自らが制御パターンを選択するため、使用者の好みの制御パターンで絵画等が照明される。この場合、作者の意図とは異なる条件で、絵画等が照明されてしまう。
【０００７】
また、リモコン発信部に設けたスイッチを操作する必要があるため、照明の設定に手間が掛かることに加え、飾る絵画等を交換する度に、スイッチを操作して照明の設定を変える必要がある。このため、使用者は、本来の目的である絵画等の観賞に集中できなくなってしまう。したがって、煩雑な設定操作が不要であり、最適な照明効果を簡単に得ることができる技術が要望されている。
【０００８】
本発明は、このような事情に鑑みてなされたものであり、その目的は、煩雑な設定操作を行うことなく、被照明物に最適な照明効果を簡単に得ることができる照明装置を提供することにある。
【課題を解決するための手段】
【０００９】
上記した課題を解決するために本発明の第１の観点に係る発明は、被照明物に光を照射する光源と、前記被照明物に設定された固有の照明情報を読み取る読み取り部と、前記読み取り部に入力された前記固有の照明情報に基づいて、前記光源から出力される光を制御する制御部と、を有することを特徴とする。
【００１０】
好ましくは、前記被照明物を支持する支持体をさらに備え、
前記読み取り部は、前記支持体に前記被照明物を収容する際に、前記固有の照明情報を読み取る。
好ましくは、前記固有の照明情報は、前記被照明物に設けられた平面的なコード情報である。
好ましくは、前記被照明物は、マイクロチップを有し、
前記固有の照明情報は、前記マイクロチップに組み込まれた情報である。
好ましくは、前記制御部は、前記被照明物の照明効果に影響を与える特定の因子を考慮して前記固有の照明情報を加工し、この加工した照明情報に基づいて、前記光源から出力される光を制御する。
好ましくは、前記特定の因子は、前記被照明物を照明する時間帯である。
【発明の効果】
【００１１】
本発明の照明装置によれば、煩雑な設定操作を行うことなく、被照明物に最適な照明効果を簡単に得ることができる。
【図面の簡単な説明】
【００１２】
【図１】本発明に係る実施形態の照明装置の正面図である。
【図２】図１に示される照明装置と被照明物を分離して示す図である。
【図３】図１のＡ−Ａ線断面図である。
【図４】光源の構成を模式的に示す図である。
【図５】照明装置の内部構成を説明するブロック図である。
【図６】照明情報の構成を説明する照明装置の正面図である。
【図７】図６のＤ−Ｄ線断面図であり、照明装置と被照明物を分離して示す図である。
【図８】被照明物の他の構成を示す図である。
【図９】照明装置の作用説明図である。
【発明を実施するための形態】
【００１３】
（実施形態）
以下、添付図面を参照して、本発明を実施するための形態（以下、「実施形態」と称する）について詳細に説明する。実施形態の説明の全体を通して同じ要素には同じ番号を付している。また、図面は、符号の向きに見るものとする。また、実施形態において、「上」、「下」、「左」、「右」は、各々、使用者が被照明物に正対したときの方向を示す。
【００１４】
（照明装置１０の全体構成）
照明装置１０の全体構成を図１、図２に基づいて説明する。
図１に示すように、実施形態の照明装置１０は、被照明物２０を着脱可能に支持する支持体３０と、被照明物２０に光を照射する光源４０Ｔ１〜Ｔ８、光源４０Ｕ１〜Ｕ８、光源４０Ｌ１〜Ｌ８、光源４０Ｒ１〜Ｒ８とを有する。なお、以下の説明では、光源４０Ｔ１〜Ｔ８、光源４０Ｕ１〜Ｕ８、光源４０Ｌ１〜Ｌ８、光源４０Ｒ１〜Ｒ８をまとめて称する場合、必要に応じて「光源４０」と記載する。
【００１５】
（被照明物２０の構成）
被照明物２０は、外形が四角形状（この例では、左右方向に長い長方形状）の絵画または写真である。ここでは、地面２１、人２２、空２３、月２５等が表面２６に描写された被照明物２０を例示する。なお、本発明にいう「被照明物」は、絵画や写真の他、ポスターや模型等、各種の照明対象を含む。
【００１６】
被照明物２０には、固有の照明情報２７（図５参照）が物理的に設定される。
一般に、多く絵画や写真等は、描写時における時間的な因子を含んでいる。この時間的な因子は、光や影によって被照明物２０に描かれたり、写り込んだりすると考えられる。また、光には、その向きや角度、色、輝度等の様々な因子が含まれている。照明情報２７は、このような光に関する因子を、例えば、照明条件が作者の意図に合う条件となるように情報化したものである。なお、最適な照明情報２７を得るには、被照明物２０の表面２６を画像解析し、その解析結果に基づいて照明情報２７を設定することが有効な手段の１つである。
【００１７】
（支持体３０の構成）
図２に示すように、支持体３０は、照明装置１０の本体であり、被照明物２０を収める額縁である。この例では、被照明物２０の裏面２８（図３参照）に合わさる基部３１と、この基部３１の外周に沿って形成される枠部３２とによって、支持体３０を構成する。枠部３２の内側の縁部３３は、被照明物２０の外形形状に合わさる形状（この例では、左右方向に長い長方形状）に形成されており、縁部３３には、被照明物２０が着脱可能に嵌め込まれる。
【００１８】
（光源４０の構成）
光源４０は、支持体３０に複数設けられる。この例では、四角形状の縁部３３の上側の辺部に８個の光源４０Ｔ１〜Ｔ８を等間隔に配置し、縁部３３の下側の辺部に８個の光源４０Ｕ１〜Ｕ８を等間隔に配置し、縁部３３の左側の辺部に８個の光源４０Ｌ１〜Ｌ８を等間隔に配置し、縁部３３の右側の辺部に８個の光源４０Ｒ１〜Ｒ８を等間隔に配置する。これにより、被照明物２０を囲うようにして、合計３２個の光源４０を支持体３０に設ける。
【００１９】
図３に示すように、各光源４０は、例えば、縁部３３に形成される凹部３５に組み込まれており、照明装置１０に収められた被照明物２０の表面２６に光を照射可能である。光源４０の種類や構成は、任意に選択可能であるが、ここでは、互いに異なる色を発光する複数の発光素子の集合体で、１個（１組）の光源４０を構成する。
【００２０】
なお、図３では、被照明物２０の表面２６側から光を照射する例を示したが、被照明物２０の素材によっては、被照明物２０の裏面２８側から光を照射し、裏面２８側から表面２６側に透過する光で、被照明物２０を照明することも可能である。また、図３では、支持体３０の正面側から被照明物２０を嵌め込む例を示したが、支持体３０の背面側を開放することにより、支持体３０の背面側から被照明物２０を嵌め込むようにしても差し支えない。また、支持体３０には、光源４０からの光を任意の方向に向ける導光部材５６（図５参照）を設けてもよい。例えば、導光部材５６によって、光源４０からの光を効率良く拡散させたり、光源４０から縁部３３の周方向に沿って光を導いたりすることができる。
【００２１】
図４に示すように、本実施形態では、赤色の光を発するＬＥＤ（発光ダイオード）からなる発光素子４１Ｒ、緑色の光を発するＬＥＤからなる発光素子４１Ｇ、青色の光を発するＬＥＤからなる発光素子４１Ｂで構成されるＬＥＤモジュールで、１個（１組）の光源４０を構成する。このような光源４０では、各発光素子４１Ｒ，Ｇ，Ｂそれぞれの色の他、任意に選択される２個以上の発光素子の光を混合することで、イエロー（黄色）、シアン（水色）、マゼンタ（紫色）、ホワイト（白色）を含む７色の光を被照明物２０の表面２６（図３参照）に照射することができる。
【００２２】
（照明装置１０の内部構成）
次に、照明装置１０の内部構成を図５に基づいて説明する。
図５に示すように、照明装置１０は、制御部５１を内部に有する。この制御部５１には、読み取り部５２が接続される。また、制御部５１には、光源駆動部５３を介して光源４０が接続される。さらに、制御部５１および光源駆動部５３には、電源５５が接続される。
【００２３】
読み取り部５２は、被照明物２０に設定された照明情報２７を読み取る。照明情報２７には、複数の光源４０のそれぞれに対応付けられた複数の点灯・非点灯情報２７ａおよび明暗情報２７ｂが含まれる。点灯・非点灯情報２７ａは、複数の発光素子４１Ｒ，Ｇ，Ｂ（図４参照）のそれぞれに対して、点灯させるか、点灯させないかを定めるものである。明暗情報２７ｂは、光源４０を第１の輝度で発光させるか、第１の輝度よりも暗い第２の輝度で発光させるかを定めるものである。
【００２４】
制御部５１は、読み取り部５２に入力された照明情報２７に基づいて、光源駆動部５３を制御し、各光源４０から出力される光を制御する。すなわち、制御部５１は、複数組（この例では、３２組）の光源４０それぞれにおいて、入力された点灯・非点灯情報２７ａに基づいて、発光素子４１Ｒ，Ｇ，Ｂ（図４参照）を選択的に点灯させる。より具体的には、制御部５１は、発光素子４１Ｒ，Ｇ，Ｂ（図４参照）のうち、１個を点灯させて光を出力する、あるいは、２個以上を点灯させて光を混合して出力する、あるいは、発光素子４１Ｒ，Ｇ，Ｂ（図４参照）を全て消灯する。同時に、制御部５１は、入力された明暗情報２７ｂに基づいて、複数の光源４０それぞれを第１の輝度または第２の輝度で発光させる。
【００２５】
（照明情報２７および読み取り部５２の構成例）
続いて、照明情報２７および読み取り部５２の具体的な構成例を図６〜図８に基づいて説明する。
【００２６】
例えば、図６および図７に示すように、被照明物２０に設けられた平面的なコード情報によって、照明情報２７を構成することが可能である。この例では、絵画や写真が描写されている描写領域および絵画や写真が描写されていない非描写領域のうち、非描写領域（ここでは、被照明物２０の裏面２８）の所定の位置に、平面的なコード情報からなる照明情報２７を予め設けておく。平面的なコード情報は、特定の規則に従って照明情報２７をコード化した情報（例えば、バーコードやＱＲコード（登録商標）等）であり、印刷等によって形成される。
【００２７】
一方、読み取り部５２は、照明情報２７を読み取り可能なコードリーダー（例えば、バーコードリーダーやＱＲコード（登録商標）リーダー等）であり、被照明物２０を照明装置１０に収めた状態において、照明情報２７と対向する位置（この例では、基部３１の表面側）に設けられる。
【００２８】
また、マイクロチップを被照明物２０に組み込み、このマイクロチップに組み込まれた照明情報２７を読み取り部５２に入力してもよい。この場合、マイクロチップから読み取り部５２への入力手段は、照明装置１０に求められる仕様に応じて、接触型の通信手段または非接触型の通信手段のいずれを用いてもよい。また、磁気媒体（例えば、磁気テープ等）で照明情報２７を構成してもよい。
【００２９】
コード情報やマイクロチップ等で照明情報２７を構成した場合、より多くの情報を照明情報２７として照明装置１０に入力することができる。このため、例えば、照明装置１０に時計機能を組み込むと共に、時間帯（本発明にいう「被照明物の照明効果に影響を与える特定の因子」の一例）に応じて照明を変化させる照明情報２７を予め被照明物２０に設けることができる。この場合、制御部５１は、時間帯の情報を自動取得し、この取得した情報を考慮して照明情報２７を加工し、この加工した照明情報に基づいて、光源４０から出力される光を制御することが可能である。
【００３０】
なお、被照明物２０を支持体３０に収める構造は、支持体３０の縁部３３に嵌め込む構造の他、読み取り部５２に求められる仕様に合わせて、例えば、白抜きの矢印（図７参照）で示すように、枠部３２に設けた差し込み穴６６から被照明物２０を差し込む構造等を採用してもよい。この場合、被照明物２０を支持体３０に完全に差し込んだ時点で、読み取り部５２と照明情報２７とを対向させて照明情報２７を読み取り部５２に入力させることが好ましい。このような差し込む構造は、第１に、照明情報２７がバーコード、読み取り部５２がバーコードリーダーである場合、第２に、照明情報２７がＩＣ、読み取り部５２がＩＣリーダーである場合、特に好ましい。つまり、被照明物２０を支持体３０に嵌め込む際に、支持体３０の一辺側からその対向する一辺側に向けてスライドして挿入できるように、被照明物２０および支持体３０を構成することによって、被照明物２０を支持体３０に差し込むだけで、読み取り部５２が照明情報２７を読み取ることができる。
【００３１】
また、図８に示すように、被照明物２０において、絵や写真が描写されている描写領域２０ａを囲うように、被照明物２０の外周部に非描写領域２０ｂを設定し、このような環状の非描写領域２０ｂの表面、裏面または内部に、コード情報、マイクロチップ、磁気媒体等からなる照明情報２７を設けてもよい。
【００３２】
以上、説明した照明装置１０の効果について述べる。
照明装置１０によれば、被照明物２０に設定された照明情報２７を読み取り、この読み取られた照明情報２７に基づいて被照明物２０を照明することができるので、被照明物２０の照明に最適な照明情報２７を、個々の被照明物２０に予め設定することにより、煩雑な設定操作を行うことなく、被照明物２０を照明装置１０に収めるだけで、被照明物２０に最適な照明効果を簡単に得ることができる。また、被照明物２０の絵画や写真における光による表現を照明装置１０によって、補うことが可能である。
【００３３】
例えば、図９において、光源４０Ｔ１〜Ｔ４および光源４０Ｌ６〜Ｌ８の色を黄色とし、光源４０Ｔ５〜Ｔ８、光源４０Ｒ４〜Ｒ８および光源４０Ｌ４〜Ｌ５を青色とし、そして、光源４０Ｕ１〜Ｕ８、光源４０Ｌ１〜Ｌ３および光源４０Ｒ１〜Ｒ３の色を白色に設定する。これにより、被照明物２０の表面２６において、月２５を含む領域Ａ１が黄色の光で照明され、空２３および人２２の一部を含む領域Ａ２が青色の光で照明され、地面２１の大半を含む領域Ａ３が白く照明される。すなわち、明るい月２５や暗い空２３、月２５に照らされた地面２１や人２２に対し、それぞれに適した照明を行うことができる。
【００３４】
また、制御部５１が時間帯の情報を考慮して照明情報２７を加工し、この加工した照明情報に基づいて、光源４０から出力される光を制御する場合、以下のように、照明を変化させることができる。
【００３５】
例えば、被照明物２０において、朝は、月２５を含む左側部分が、黄みを帯びた中輝度の光で照明されるように光源４０を制御する。昼間は、被照明物２０の表面２６の全てが白色の光で照明されるように光源４０を制御する。夕方は、被照明物２０の表面２６のうち右側部分が赤みを帯びた低輝度の光で照明され、且つ、月２５を含む左側部分が白色以外の光で照明されるように光源４０の色を変化させる。そして、夜になると、空２３が青色、地面２１が淡い白色、月２５が明るい黄色となるように、光源４０を制御する。このように時間帯に合わせて、被照明物２０の表面２６に対する照明を変化させることができる。
【００３６】
なお、照明の変化は、この他、使用者による操作（例えば、遠隔操作）によるもの、あるいは、Ｗｉ−Ｆｉ（登録商標）等を用いた通信環境における照明条件の自動更新によるもの等、照明装置１０の外部から入力された情報に基づいて行われるものでもよい。
【００３７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００３８】
以下に、本願出願時の特許請求の範囲を付記する。
＜付記＞
［請求項１］
被照明物に光を照射する光源と、
前記被照明物に設けられた固有の照明情報を読み取る読み取り部と、
前記読み取り部によって読み取られた前記固有の照明情報に基づいて、前記光源から出力される光を制御する制御部と、
を有することを特徴とする照明装置。
［請求項２］
前記被照明物を支持する支持体をさらに備え、
前記読み取り部は、前記支持体に前記被照明物を収容する際に、前記固有の照明情報を読み取ることを特徴とする請求項１に記載の照明装置。
［請求項３］
前記固有の照明情報は、前記被照明物に設けられたコード情報であることを特徴とする請求項１または２に記載の照明装置。
［請求項４］
前記被照明物は、マイクロチップを有し、
前記固有の照明情報は、前記マイクロチップに組み込まれた情報であることを特徴とする請求項１または２に記載の照明装置。
［請求項５］
前記制御部は、前記被照明物の照明効果に影響を与える特定の因子を考慮して前記固有の照明情報を加工し、この加工した照明情報に基づいて、前記光源から出力される光を制御することを特徴とする請求項１〜４のいずれかに記載の照明装置。
［請求項６］
前記特定の因子は、前記被照明物を照明する時間帯であることを特徴とする請求項５に記載の照明装置。
【符号の説明】
【００３９】
１０・・・照明装置、２０・・・被照明物、２７・・・照明情報、２７ａ・・・点灯・非点灯情報、２７ｂ・・・明暗情報、３０・・・支持体、４０Ｔ１〜Ｔ８・・・光源、４０Ｕ１〜Ｕ８・・・光源、４０Ｌ１〜Ｌ８・・・光源、４０Ｒ１〜Ｒ８・・・光源、４１Ｒ・・・発光素子、４１Ｇ・・・発光素子、４１Ｂ・・・発光素子、５１・・・制御部、５２・・・読み取り部。
【図１】
2014186885.tif 000003
【図２】
2014186885.tif 000004
【図３】
2014186885.tif 000005
【図４】
2014186885.tif 000006
【図５】
2014186885.tif 000007
【図６】
2014186885.tif 000008
【図７】
2014186885.tif 000009
【図８】
2014186885.tif 000010
【図９】
2014186885.tif 000011